(57)【要約】【課題】こたつなどの熱源を利用して座部を暖めることが可能な座椅子およびその使用を提供する。【解決手段】少なくとも座部を有する座椅子であって、前記座部に、前面から背面または前面から座部上面に貫通する通気部を有する。【選択図】図１
2016059688.tif 000002
【特許請求の範囲】
【請求項１】
少なくとも座部を有する座椅子であって、前記座部に、前面から背面または前面から座部上面に貫通する通気部を有することを特徴とする座椅子。
【請求項２】
前記座部の高さが１〜２０ｃｍの範囲内である、請求項１に記載の座椅子。
【請求項３】
前記通気部の高さが１〜１０ｃｍの範囲内である、請求項１または請求項２に記載の座椅子。
【請求項４】
赤外線吸収性繊維を含む表皮材が前記座部に配されてなる、請求項１〜３のいずれかに記載の座椅子。
【請求項５】
前記通気部にスペーサーが挿入されてなる、請求項１〜４のいずれかに記載の座椅子。
【請求項６】
前記スペーサーが貫通孔を有する、請求項５に記載の座椅子。
【請求項７】
座椅子がこたつ用である、請求項１〜６のいずれかに記載の座椅子。
【請求項８】
請求項１〜７のいずれかに記載の座椅子を、こたつの暖気が前記通気部を通して流通するように使用する、座椅子の使用。
【発明の詳細な説明】
【技術分野】
【０００１】
本発明は、こたつなどの熱源を利用して座部を暖めることが可能な座椅子およびその使用に関する。
【背景技術】
【０００２】
座椅子はソファーやクッションとも称される家具であり、従来、広く使用されている。また、座椅子として、温風ヒーターユニットを備えたもの、通気孔を有するものなど種々のものが提案されている（例えば、特許文献１、特許文献２、特許文献３参照）。
しかしながら、こたつなどの熱源を利用して座部を暖めることが可能な座椅子はこれまであまり提案されていない。
【先行技術文献】
【特許文献】
【０００３】
【特許文献１】実開昭６３−１０３３５９号公報
【特許文献２】実開昭５２−１４７５１０号公報
【特許文献３】特開２００１−６１５８４号公報
【発明の概要】
【発明が解決しようとする課題】
【０００４】
本発明は上記の背景に鑑みなされたものであり、その目的は、こたつなどの熱源を利用して座部を暖めることが可能な座椅子およびその使用を提供することにある。
【課題を解決するための手段】
【０００５】
本発明者は上記課題を達成するため鋭意検討した結果、座椅子の座部に、前面から背面前面から背面または前面から座部上面に貫通する通気部を形成することによりこたつなどの熱源を利用して座部を暖めることが可能となることを見出し、さらに鋭意検討を重ねることにより本発明を完成するに至った。
【０００６】
かくして、本発明によれば「少なくとも座部を有する座椅子であって、前記座部に、前面から背面または前面から座部上面に貫通する通気部を有することを特徴とする座椅子。」が提供される。
その際、前記座部の高さが１〜２０ｃｍの範囲内であることが好ましい。また、前記通気部の高さが１〜１０ｃｍの範囲内であることが好ましい。また、赤外線吸収性繊維を含む表皮材が前記座部に配されていることが好ましい。また、前記通気部にスペーサーが挿入されていることが好ましい。その際、前記スペーサーが貫通孔を有することが好ましい。また、座椅子がこたつ用であることが好ましい。
本発明によれば、前記の座椅子を、こたつの暖気が前記通気部を通して流通するように使用する、座椅子の使用が提供される。
【発明の効果】
【０００７】
本発明によれば、こたつなどの熱源を利用して座部を暖めることが可能な座椅子およびその使用が得られる。
【図面の簡単な説明】
【０００８】
【図１】本発明の座椅子の一例を示す図である。
【図２】本発明の座椅子の一例を示す図である。
【図３】本発明の座椅子の一例を示す図である。
【図４】本発明の座椅子の一例を示す図である。
【図５】従来の座椅子の一例を示す図である。
【発明を実施するための形態】
【０００９】
以下、本発明の実施の形態について詳細に説明するが、これらに限定されるものではない。
本発明の座椅子は、少なくとも座部を有する座椅子であって、前記座部に、前面から背面または前面から座部上面（好ましくは、前面から背面および前面から座部上面）に貫通する通気部（貫通孔）を有する。座椅子が前記通気部を有することにより、こたつなどの暖気が該通気部を通して流通する際に前記座部が暖められる。
【００１０】
ここで、座椅子のサイズは特に限定されないが、前記座部の高さ（床からの高さ）ｈとしては１〜２０ｃｍの範囲内であることが好ましい。また、座椅子の巾（横方向の長さ）、奥行きとしてはそれぞれ、巾（横方向の長さ）５０〜３００ｃｍ、奥行き３０〜１００ｃｍの範囲内であることが好ましい。
【００１１】
前記通気部の寸法は特に限定されないが、高さ（上下方向の長さ）としては座部の前面において１〜１０ｃｍの範囲内であることが好ましい。また、通気部の巾（横方向の長さ）は座部の前面において３０〜２００ｃｍの範囲内であることが好ましい。該通気部の個数は１箇所でもよいし、２箇所以上の複数でもよい。
また、前記通気部にスペーサーが挿入されていると、使用者が座椅子に着座した際、人体の重量が座部にかかっても座部がつぶれにくく好ましい。
【００１２】
かかるスペーサーとしては、ブレスエアー（商品名）や不織布のような空隙を有するものでもよいが、貫通孔を有するものであると、該貫通孔の軸方向と前記通気部との軸方向を一致させることによりこたつの暖気が流通しやすく好ましい。市販のものでは、低密度ポリエチレンからなる中空ブロックが２次元（平面）的に連結され、平面の１辺から該辺に対向する辺に向けて貫通孔を有することにより、人の体重を十分に面で支えることが可能であり、かつ高い空気流通性を有するメドウニクス社製「スーパースペーサー」（商品名）などが好ましい。
また、座部の前面から座部の上面に貫通する通気部（貫通孔）を有する際、座部の上面において、貫通孔の個数は複数であることが好ましい。また、前記貫通孔の１個あたりの断面積が１〜２５ｃｍ２の範囲内であることが好ましい。
【００１３】
本発明の座椅子は座部だけで構成してもよいし、座部だけなく、背もたれ部や肘掛部、さらにはその他の部材や付属品を備えていてもよい。
本発明の座椅子において、座部を構成する材料は特に限定されないが、ポリウレタンや繊維構造体などクッション性に優れたものが好適に例示される。かかる繊維構造体としては、例えば、特開２０１４−８０７０５号公報に記載されているように、非弾性捲縮短繊維と熱接着性複合短繊維とで構成されたものやさらに繊維が厚さ方向に配列したもの（市販のものでは「Ｖ−ＬＡＰ」（登録商標）などでもよい。
【００１４】
本発明の座椅子において、使用者をさらに暖める上で、赤外線吸収性繊維を含む表皮材が座部を被覆していることが好ましい。
その際、かかる赤外線吸収性繊維としては、カーボンブラックや金属酸化物系微粒子などの赤外線吸収剤をポリマー中に練りこませるか繊維表面に付着させたポリエステル繊維が好ましい。
【００１５】
かかるポリエステル繊維を形成するポリエステルとしては、テレフタル酸を主たるジカルボン酸成分とし、少なくとも１種のグリコール、好ましくは、エチレングリコール、トリメチレングリコール、テトラメチレングリコールなどから選ばれた少なくとも１種のアルキレングリコールを主たるグリコール成分とするポリエステルである。上記ポリエステルには、必要に応じて第３成分が共重合および／またはブレンドによって変性されていてもよい。かかるポリエステルとしては、マテリアルリサイクルまたはケミカルリサイクルされたポリエステルや、バイオマスすなわち生物由来の物質を原材料として得られたモノマー成分を使用してなるポリエチレンテレフタレートであってもよい。さらには、特開２００４−２７００９７号公報や特開２００４−２１１２６８号公報に記載されているような、特定のリン化合物およびチタン化合物を含む触媒を用いて得られたポリエステルでもよい。
【００１６】
なお、かかるポリエステルには、必要に応じて任意の添加剤、例えば触媒、着色防止剤、耐熱剤、難燃剤、酸化防止剤、無機微粒子などが含まれていてもさしつかえない。特にポリエステルポリマー中またはポリエステル繊維表面に難燃剤が付与されていると布帛の難燃性が向上し好ましい。
【００１７】
かかるポリエステル繊維において、単繊維繊度が０．１〜５．０ｄｔｅｘの範囲内であることが好ましい。また、繊維の形態としては、短繊維でもよいし長繊維（  マルチフィラメント）でもよい。また、かかる長繊維の総繊度、フィラメント数としては、総繊度３３〜３３０ｄｔｅｘ、フィラメント数１０〜１００の範囲が好ましい。また、単繊維の断面形状は特に限定されず通常の丸断面でもよいし、扁平断面、くびれつき扁平断面、三角断面、四角断面、３〜１４葉断面、中空断面などの異型断面でもよい。
また、表皮材としては通常の織物や編物でよい。かかる表皮材には、染色加工だけでなく、撥水加工、防炎加工、難燃加工、マイナスイオン発生加工、金属蒸着など公知の機能加工が付加されていてもさしつかえない。
【００１８】
本発明の座椅子はこたつ用であることが好ましい。本発明の座椅子を、こたつの暖気が前記通気部を通して流通するように使用すると、こたつの熱源を利用して座部を暖めることができる。その際、自然対流によりこたつの暖気を流通させることが好ましい、ファンで強制的に暖気を流通させてもよい。
【実施例】
【００１９】
次に本発明の実施例及び比較例を詳述するが、本発明はこれらによって限定されるものではない。
【００２０】
［実施例１］
座部（高さ７．５ｃｍ、巾４０．０ｃｍ、奥行き４０．０ｃｍ）として、通常のポリウレタンからなるクッション層に通常のポリエステル生地からなる表皮材を積層し、図１に示すような、前面から背面に貫通する通気部（高さ２．５ｃｍ、巾３０．０ｃｍ）を有する座部、背もたれ部、および肘掛部を有する座椅子を得た。次いで、図２に示すように、メドウニクス社製のスーパースペーサー（商品名）、型名ＳＰ−Ｈ１を２枚重ねて前記通気部に挿入した。
２０℃４０％の環境下、得られた座椅子を通気部前面がこたつ内部に入るようにセットして、こたつの電源を入れ、１０分後に座面中央部の温度をサーモグラフィーで測定すると、座面温度は２６℃であった。また、座り心地は良かった。
【００２１】
［実施例２］
実施例１において表皮材として赤外線吸収繊維（帝人フロンティア社製、ヒートエナジー（商品名）８４ｄｔｅｘ／３６ｆｉｌ）を含むポリエステル生地を使用すること以外は、実施例１と同様にして図３のような座椅子を得た。座面温度は２８℃であった。また、座り心地は良かった。
【００２２】
［実施例３］
実施例１において、座部の上面に通気部まで貫通する１個あたり２５ｃｍ２の貫通孔を複数個設けること以外は、実施例１と同様にして図４のような座椅子を得た。座面温度は２７℃であった。また、座り心地は良かった。
【００２３】
［比較例１］
実施例１において、通気部を形成しないこと以外は、実施例１と同様にして図５のような座椅子を得た。座面温度は２３℃であった。また、座り心地は良かった。
【００２４】
［実施例４］
実施例１において、通気部にスーパースペーサー（商品名）を入れないこと以外は、実施例１と同様にして図１のような座椅子を得た。座面温度は２６．５℃であった。また、座り心地は底付き感がありやや悪かった。
【産業上の利用可能性】
【００２５】
本発明によれば、こたつなどの熱源を利用して座部を暖めることが可能な座椅子およびその使用が提供され、その工業的価値は極めて大である。
【図１】
2016059688.tif 000003
【図２】
2016059688.tif 000004
【図３】
2016059688.tif 000005
【図４】
2016059688.tif 000006
【図５】
2016059688.tif 000007